(57)【要約】【課題】ＬＥＤの色温度を簡単に制御することができる発光装置およびその制御回路の構造を提供する。【解決手段】本考案は色温度を調整できる発光装置１００およびその制御回路の構造を提供するものであり、発光装置１００は、信号制御回路１０１、隔離回路１０２、１０６、電流駆動回路１０３、１０７、ＬＥＤ１０４、１０８および保護制御回路１０５、１０９を備える。本考案は信号制御回路１０１を利用して複数の電流駆動回路１０３、１０７を制御し、ＬＥＤ１０４、１０８をそれぞれ駆動し、信号制御回路１０１が複数のＬＥＤ１０４、１０８を同時に正確に制御して異なる色のＬＥＤ１０４、１０８の光が混光され、色温度を１５００Ｋから２００００Ｋの範囲で制御することができる。【選択図】図１
0003139518.tif 000002
【実用新案登録請求の範囲】
【請求項１】
少なくとも第１の制御信号の出力に使用される第１の制御信号出力端および第２の制御信号の出力に使用される第２の制御信号出力端を有する信号制御回路と、
その入力端が前記第１の制御信号出力端に電気的に接続される第１の隔離回路と、
その入力端が前記第１の隔離回路の出力端に電気的に接続される第１の電流駆動回路と、
その陽極が前記第１の電流駆動回路の出力端に電気的に接続される少なくとも一つの第１のＬＥＤと、
前記第１のＬＥＤの陰極とアースとの間に直列接続され、前記第１の電流駆動回路の入力端に電気信号をフィードバックする第１の保護制御回路と、
その入力端が前記第２の制御信号出力端に電気的に接続される第２の隔離回路と、
その入力端が前記第２の隔離回路の出力端に電気的に接続される第２の電流駆動回路と、
その陽極が前記第２の電流駆動回路の出力端に電気的に接続される少なくとも一つの第２のＬＥＤと、
前記第２のＬＥＤの陰極とアースとの間に直列接続され、前記第２の電流駆動回路の入力端に電気信号をフィードバックする第２の保護制御回路と、を備えることを特徴とする色温度を調整できる発光装置。
【請求項２】
前記第１のＬＥＤおよび前記第２のＬＥＤの光が混光された色温度は、１５００Ｋから２００００Ｋの間であることを特徴とする請求項１記載の色温度を調整できる発光装置。
【請求項３】
前記信号制御回路は、ＰＷＭ回路であることを特徴とする請求項１記載の色温度を調整できる発光装置。
【請求項４】
その入力端が前記第１の制御信号出力端に電気的に接続され、その出力端が前記第１の隔離回路の入力端に電気的に接続される第１のパルス信号制御回路を更に備えることを特徴とする請求項１記載の色温度を調整できる発光装置。
【請求項５】
前記第１の電流駆動回路の出力端と前記第１のＬＥＤの陽極との間に直列接続される第１のノイズフィルタ回路を更に備えることを特徴とする請求項１記載の色温度を調整できる発光装置。
【請求項６】
前記第１の電流駆動回路の出力端と第１のＬＥＤの陽極との間に直列接続される第１のインダクタンスを更に備えることを特徴とする請求項１記載の色温度を調整できる発光装置。
【請求項７】
その入力端が前記第２の制御信号出力端に電気的に接続され、その出力端が前記第２の隔離回路の入力端に電気的に接続される第２のパルス信号制御回路を更に備えることを特徴とする請求項１記載の色温度を調整できる発光装置。
【請求項８】
前記第２の電流駆動回路の出力端と前記第２のＬＥＤの陽極との間に直列接続される第２のノイズフィルタ回路を更に備えることを特徴とする請求項１記載の色温度を調整できる発光装置。
【請求項９】
前記第２の電流駆動回路の出力端と前記第２のＬＥＤの陽極との間に直列接続される第２のインダクタンスを更に備えることを特徴とする請求項１記載の色温度を調整できる発光装置。
【請求項１０】
前記第１のＬＥＤは、緑色ＬＥＤであり、前記第２のＬＥＤは、赤色ＬＥＤであることを特徴とする請求項１記載の色温度を調整できる発光装置。
【請求項１１】
前記第１のＬＥＤは、黄色ＬＥＤであり、前記第２のＬＥＤは、青色ＬＥＤであることを特徴とする請求項１記載の色温度を調整できる発光装置。
【請求項１２】
前記第１のＬＥＤは、白色ＬＥＤであり、前記第２のＬＥＤは、有色ＬＥＤであることを特徴とする請求項１記載の色温度を調整できる発光装置。
【請求項１３】
少なくとも第１の制御信号の出力に使用される第１の制御信号出力端、第２の制御信号の出力に使用される第２の制御信号出力端および第３の制御信号の出力に使用される第３の制御信号出力端を有する信号制御回路と、
その入力端が前記第１の制御信号出力端に電気的に接続される第１の隔離回路と、
その入力端が前記第１の隔離回路の出力端に電気的に接続される第１の電流駆動回路と、
その陽極が前記第１の電流駆動回路の出力端に電気的に接続される少なくとも一つの第１のＬＥＤと、
前記第１のＬＥＤの陰極とアースとの間に直列接続され、前記第１の電流駆動回路の入力端に電気信号をフィードバックする第１の保護制御回路と、
その入力端が前記第２の制御信号出力端に電気的に接続される第２の隔離回路と、
その入力端が前記第２の隔離回路の出力端に電気的に接続される第２の電流駆動回路と、
その陽極が前記第２の電流駆動回路の出力端に電気的に接続される少なくとも一つの第２のＬＥＤと、
前記第２のＬＥＤの陰極とアースとの間に直列接続され、前記第２の電流駆動回路の入力端に電気信号をフィードバックする第２の保護制御回路と、
その入力端が前記第３の制御信号出力端に電気的に接続される第３の隔離回路と、
その入力端が前記第３の隔離回路の出力端に電気的に接続される第３の電流駆動回路と、
その陽極が前記第３の電流駆動回路の出力端に電気的に接続される少なくとも一つの第３のＬＥＤと、
前記第３のＬＥＤの陰極とアースとの間に直列接続され、前記第３の駆動回路の入力端に電気信号をフィードバックする第３の保護制御回路と、を備えることを特徴とする色温度を調整できる発光装置。
【請求項１４】
前記第１のＬＥＤ、前記第２のＬＥＤおよび第３のＬＥＤの光が混光された色温度は、１５００Ｋから２００００Ｋの間であることを特徴とする請求項１３記載の色温度を調整できる発光装置。
【請求項１５】
前記信号制御回路は、ＰＷＭ回路であることを特徴とする請求項１３記載の色温度を調整できる発光装置。
【請求項１６】
その入力端が前記第１の制御信号出力端に電気的に接続され、その出力端が前記第１の隔離回路の入力端に電気的に接続される第１のパルス信号制御回路を更に備えることを特徴とする請求項１３記載の色温度を調整できる発光装置。
【請求項１７】
前記第１の電流駆動回路の出力端と前記第１のＬＥＤの陽極との間に直列接続される第１のノイズフィルタ回路を更に備えることを特徴とする請求項１３記載の色温度を調整できる発光装置。
【請求項１８】
前記第１の電流駆動回路の出力端と前記第１のＬＥＤの陽極との間に直列接続される第１のインダクタンスを更に備えることを特徴とする請求項１３記載の色温度を調整できる発光装置。
【請求項１９】
その入力端が前記第２の制御信号出力端に電気的に接続され、その出力端が前記第２の隔離回路の入力端に電気的に接続される第２のパルス信号制御回路を更に備えることを特徴とする請求項１３記載の色温度を調整できる発光装置。
【請求項２０】
前記第２の電流駆動回路の出力端と前記第２のＬＥＤの陽極との間に直列接続される第２のノイズフィルタ回路を更に備えることを特徴とする請求項１３記載の色温度を調整できる発光装置。
【請求項２１】
前記第２の電流駆動回路の出力端と前記第２のＬＥＤの陽極との間に直列接続される第２のインダクタンスを更に備えることを特徴とする請求項１３記載の色温度を調整できる発光装置。
【請求項２２】
その入力端が前記第３の制御信号出力端に電気的に接続され、その出力端が前記第３の隔離回路の入力端に電気的に接続される第３のパルス信号制御回路を更に備えることを特徴とする請求項１３記載の色温度を調整できる発光装置。
【請求項２３】
前記第３の電流駆動回路の出力端と前記第３のＬＥＤの陽極との間に直列接続される第３のノイズフィルタ回路を更に備えることを特徴とする請求項１３記載の色温度を調整できる発光装置。
【請求項２４】
前記第３の電流駆動回路の出力端と前記第３のＬＥＤの陽極との間に直列接続される第３のインダクタンスを更に備えることを特徴とする請求項１３記載の色温度を調整できる発光装置。
【請求項２５】
前記第１のＬＥＤは、緑色ＬＥＤであり、前記第２のＬＥＤは、赤色ＬＥＤであり、前記第３のＬＥＤは、青色ＬＥＤであることを特徴とする請求項１３記載の色温度を調整できる発光装置。
【請求項２６】
前記第１のＬＥＤは、緑色ＬＥＤであり、前記第２のＬＥＤは、赤色ＬＥＤであることを特徴とする請求項１３記載の色温度を調整できる発光装置。
【請求項２７】
前記第１のＬＥＤは、黄色ＬＥＤであり、前記第２のＬＥＤは、青色ＬＥＤであることを特徴とする請求項１３記載の色温度を調整できる発光装置。
【請求項２８】
前記第１のＬＥＤは、白色ＬＥＤであり、前記第２のＬＥＤおよび前記第３のＬＥＤは、有色ＬＥＤであることを特徴とする請求項１３記載の色温度を調整できる発光装置。
【請求項２９】
少なくとも一つの制御信号の出力に使用される制御信号出力端を有する信号制御回路と、
その入力端が前記制御信号出力端に電気的に接続される隔離回路と、
その入力端が前記隔離回路の出力端に電気的に接続され、前記制御信号に基づいて電流信号を生成し、その陽極が前記電流駆動回路の出力端に電気的に接続されるＬＥＤを駆動する電流駆動回路と、
前記ＬＥＤの陰極とアースとの間に直列接続され、前記電流駆動回路の入力端に電気信号をフィードバックする保護制御回路と、を備えることを特徴とする発光装置の色温度を調整する制御回路の構造。
【請求項３０】
前記信号制御回路は、ＰＷＭ回路であることを特徴とする請求項２９記載の発光装置の色温度を調整する制御回路の構造。
【請求項３１】
その入力端が前記制御信号出力端に電気的に接続され、その出力端が前記隔離回路の入力端に電気的に接続されるパルス信号制御回路を更に備えることを特徴とする請求項２９記載の発光装置の色温度を調整する制御回路の構造。
【請求項３２】
前記電流駆動回路の出力端と前記ＬＥＤの陽極との間に直列接続されるノイズフィルタ回路を更に備えることを特徴とする請求項２９記載の発光装置の色温度を調整する制御回路の構造。
【請求項３３】
前記電流駆動回路の出力端と前記ＬＥＤの陽極との間に直列接続されるインダクタンスを更に備えることを特徴とする請求項２９記載の発光装置の色温度を調整する制御回路の構造。
【考案の詳細な説明】
【技術分野】
【０００１】
本考案は、色温度を調節できる発光装置およびその制御回路の構造に関し、特にＬＥＤの色温度を調節できる発光装置およびその制御回路に応用される構造に関する。
【背景技術】
【０００２】
ＬＥＤ技術の弛まぬ成長および進歩に伴って、その応用範囲も例えばディスプレイのバックライトモジュールまたは照明器具など、徐々に日常生活内に広がってきている。照明器具に応用される場合、各種の需要に対応するために、ＬＥＤの色温度を正確に調整することは非常に重要である。
【０００３】
赤色ＬＥＤ、緑色ＬＥＤおよび青色ＬＥＤを有するＬＥＤ装置を例とすると、従来技術による色温度を調整できる発光装置では、複数の制御モジュールを利用して赤色ＬＥＤ、緑色ＬＥＤおよび青色ＬＥＤに導通される電流を別々に調整して赤色ＬＥＤ、緑色ＬＥＤおよび青色ＬＥＤの光強度を調整し、混合後の光を必要な色温度に調整する。
【０００４】
しかし、この種の色温度を調整できる発光装置の制御モジュールは導通する電流の強度調整が正確でなく、電流の変動が発生しやすいので、ＬＥＤを目標の色温度に調整するのが難しいだけでなく、ＬＥＤのちらつきが発生しやすい。また、一つの制御回路で一色のＬＥＤしか制御できないので製造コストが大幅に高くなる。
【０００５】
その他の色温度を調整できる発光装置として、白色ＬＥＤに赤色ＬＥＤまたは黄色ＬＥＤを組合せ、赤色ＬＥＤまたは黄色ＬＥＤが放出する光によって白色ＬＥＤの色温度を調整するものがあるが、その調整可能な色温度の範囲は例えば２５００Ｋから５０００Ｋまでと狭く、各種状況に広く応用することができない。
【特許文献１】特開２００６−３０８８４５号公報
【考案の開示】
【考案が解決しようとする課題】
【０００６】
本考案の目的は、信号制御回路が複数のＬＥＤを制御することによって異なる色のＬＥＤの光が混光された色温度を目標の色温度に到達させ、信号制御回路が電流駆動回路を正確に制御してＬＥＤの駆動に使用される特定の大きさの電流信号を出力し、ＬＥＤに目標の光強度を正確に生成させることによって発光装置の色温度を簡単に制御することができる発光装置およびその制御回路の構造を提供することにある。
【課題を解決するための手段】
【０００７】
上述の目的を解決するために、本考案の色温度を調整できる発光装置は、少なくとも第１の制御信号の出力に使用される第１の制御信号出力端および第２の制御信号の出力に使用される第２の制御信号出力端を有する信号制御回路と、その入力端が第１の制御信号出力端に電気的に接続される第１の隔離回路と、その入力端が第１の隔離回路の出力端に電気的に接続される第１の電流駆動回路と、その陽極が第１の電流駆動回路の出力端に電気的に接続される少なくとも一つの第１のＬＥＤと、第１のＬＥＤの陰極とアースとの間に直列接続され、第１の電流駆動回路の入力端に電気信号をフィードバックする第１の保護制御回路と、その入力端が第２の制御信号出力端に電気的に接続される第２の隔離回路と、その入力端が第２の隔離回路の出力端に電気的に接続される第２の電流駆動回路と、その陽極が第２の電流駆動回路の出力端に電気的に接続される少なくとも一つの第２のＬＥＤと、第２のＬＥＤの陰極とアースとの間に直列接続され、第２の電流駆動回路の入力端に電気信号をフィードバックする第２の保護制御回路とを備える。
【０００８】
上述の目的を解決するために、本考案の色温度を調整できる発光装置は、少なくとも第１の制御信号の出力に使用される第１の制御信号出力端、第２の制御信号の出力に使用される第２の制御信号出力端および第３の制御信号の出力に使用される第３の制御信号出力端を有する信号制御回路と、その入力端が第１の制御信号出力端に電気的に接続される第１の隔離回路と、その入力端が第１の隔離回路の出力端に電気的に接続される第１の電流駆動回路と、その陽極が第１の電流駆動回路の出力端に電気的に接続される少なくとも一つの第１のＬＥＤと、第１のＬＥＤの陰極とアースとの間に直列接続され、第１の電流駆動回路の入力端に電気信号をフィードバックする第１の保護制御回路と、その入力端が第２の制御信号出力端に電気的に接続される第２の隔離回路と、その入力端が第２の隔離回路の出力端に電気的に接続される第２の電流駆動回路と、その陽極が第２の電流駆動回路の出力端に電気的に接続される少なくとも一つの第２のＬＥＤと、第２のＬＥＤの陰極とアースとの間に直列接続され、第２の電流駆動回路の入力端に電気信号をフィードバックする第２の保護制御回路と、その入力端が第３の制御信号出力端に電気的に接続される第３の隔離回路と、その入力端が第３の隔離回路の出力端に電気的に接続される第３の電流駆動回路と、その陽極が第３の電流駆動回路の出力端に電気的に接続される少なくとも一つの第３のＬＥＤと、第３のＬＥＤの陰極とアースとの間に直列接続され、第３の駆動回路の入力端に電気信号をフィードバックする第３の保護制御回路と、を備える。
【０００９】
上述の目的を解決するために、本考案の色温度を調整できる発光装置は、制御信号の出力に使用される制御信号出力端を有する信号制御回路と、その入力端が制御信号出力端に電気的に接続される隔離回路と、その入力端が隔離回路の出力端に電気的に接続され、制御信号に基づいて電流信号を生成し、その陽極が電流駆動回路の出力端に電気的に接続されるＬＥＤを駆動する電流駆動回路と、ＬＥＤの陰極とアースとの間に直列接続され、電流駆動回路の入力端に電気信号をフィードバックする保護制御回路と、を備える。
【考案の効果】
【００１０】
本考案によって以下の効果を達成できる。
１．信号制御回路が出力する制御信号によって、電流駆動回路を正確に制御することができる。
２．隔離回路が負のフィードバック信号を隔離することによって、信号制御回路が出力する制御信号への干渉を防止できる。
３．保護制御回路によって、高電流がＬＥＤを破壊するのを防止できる。
【考案を実施するための最良の形態】
【００１１】
本考案の目的、特徴および効果を示す実施例を図に沿って詳細に説明する。
[第１の実施例]
図１は、本考案の色温度を調整できる発光装置１００の実施例を示す。図２は本考案の色温度を調整できる発光装置１００’の実施例を示す。
【００１２】
図１に示すように、色温度を調整できる発光装置１００は、信号制御回路１０１、第１の隔離回路(isolation circuit)１０２、第１の電流駆動回路１０３、少なくとも一つの第１のＬＥＤ１０４、第１の保護制御回路１０５、第２の隔離回路(isolation circuit)１０６、第２の電流駆動回路１０７、少なくとも一つの第２のＬＥＤ１０８および第２の保護制御回路１０９を備える。
【００１３】
信号制御回路１０１は、ＰＷＭ（Pulse Width Modulation）回路とすることができ、第１の制御信号Ctrl１の出力に使用される第１の制御信号出力端および第２の制御信号Ctrl２の出力に使用される第２の制御信号出力端を有する。ＰＷＭ回路の特徴はプログラム化できる制御信号を出力することにあるので、第１の制御信号Ctrl１および第２の制御信号Ctrl２をプログラム制御することができ、第１の電流駆動回路１０３および第２の電流駆動回路１０７を正確に制御することができる。
【００１４】
第１の隔離回路１０２は、その入力端が信号制御回路１０１の第１の制御信号出力端に電気的に接続され、負のフィードバック信号を隔離し、負のフィードバック信号が信号制御回路１０１が出力する第１の制御信号Ctrl１を干渉するのを防止し、第１の電流駆動回路１０３が受信した第１の制御信号Ctrl１を誤判断して誤った第１の電流信号を出力するのを防止する。
【００１５】
第１の隔離回路１０２は、第１のＬＥＤＤ１および第１の抵抗Ｒ１を備え、第１のＬＥＤＤ１の陽極は第１の制御信号出力端に電気的に接続され、第１の抵抗Ｒ１の一端は第１のＬＥＤＤ１の陰極と接続され、他端は第１の電流駆動回路１０３の入力端に電気的に接続される。
【００１６】
第１の電流駆動回路１０３は、その入力端が第１の隔離回路１０２の出力端に電気的に接続され、第１の電流駆動回路１０３は第１の制御信号Ctrl１および第１の保護制御回路が生成する負のフィードバック信号を受信し、第１の制御信号Ctrl１の制御に基づいて第１の電流信号を生成する。第１の電流信号が生成する電流の大きさは０．３５アンペアから０．７アンペアの間とすることができ、負のフィードバック信号は第１の電流駆動回路１０３が出力する第１の電流信号が高電流を生成して第１のＬＥＤ１０４が負荷できなくなるのを防止するのに使用される。
【００１７】
第１のＬＥＤ１０４は、その陽極が第１の電流駆動回路１０３の出力端に電気的に接続され、第１の電流信号を受信して駆動される。第１のＬＥＤ１０４は第１の電流信号に基づいて様々な光強度を生成することができる。例えば、第１の制御信号Ctrl１を設定して第１の電流駆動回路１０３に特定の第１の電流信号を出力させ、第１のＬＥＤ１０４が放出する光強度を調整することができる。
【００１８】
第１の保護制御回路１０５は、第１のＬＥＤ１０４の陰極とアースとの間に直列接続され、第１の電流駆動回路１０３の入力端に電気信号をフィードバックする。第１の保護制御回路１０５は第１のＬＥＤ１０４を保護するのに使用され、負のフィードバック信号を第１の電流駆動回路１０３に提供し、高電流によって第１のＬＥＤ１０４が破壊されるのを防止する。
【００１９】
第１の保護制御回路１０５は、第２の抵抗Ｒ２および第３の抵抗Ｒ３を備え、第２の抵抗Ｒ２の一端は第１の電流駆動回路１０３の入力端に電気的に接続され、他端は第１のＬＥＤ１０４の陰極に電気的に接続される。第３の抵抗Ｒ３の一端も第１のＬＥＤ１０４の陰極と接続され、他端はアースに電気的に接続され、必要に応じて第２の抵抗Ｒ２および第３の抵抗Ｒ３の抵抗値を調整することができる。
【００２０】
また、第１の電流駆動回路１０３は、ポジティブエッジトリガ駆動およびネガティブエッジトリガ駆動の二種に分けることができ、信号制御回路１０１が出力する第１の制御信号Ctrl１を適当な電位の制御信号に変換するために、本実施例では更に第１のパルス信号制御回路１１０を備えることができる。図２に示すように、第１のパルス信号制御回路１１０の入力端は第１の制御信号出力端に電気的に接続され、その出力端は第１の隔離回路１０２の入力端に電気的に接続され、本来低電位の第１の制御信号Ctrl１を高電位の第１の制御信号Ctrl１に変換することができる。
【００２１】
第１のパルス信号制御回路１１０は、第４の抵抗Ｒ４、第１のトランジスタＴ１および第５の抵抗Ｒ５を備える。第４の抵抗Ｒ４の一端は第１の制御信号出力端に電気的に接続され、他端は第１のトランジスタＴ１のベース端子に電気的に接続される。第１のトランジスタＴ１はＮＰＮトランジスタであり、そのエミッタ端子はアースに電気的に接続され、そのコレクタ端子は第１の隔離回路１０２の入力端に電気的に接続される。第５の抵抗Ｒ５の一端は第１のトランジスタＴ１のコレクタ端子に電気的に接続され、他端は第１の制御信号出力端に電気的に接続される。
【００２２】
第１の電流駆動回路１０３が出力する電流信号がノイズを帯びて第１のＬＥＤ１０４の発光がちらつくのを防止するために、本実施例では第１のノイズフィルタ回路１１１を備えることができる。第１のノイズフィルタ回路１１１は第１のインダクタンスＬ１とすることができ、第１の電流駆動回路１０３の出力端と第１のＬＥＤ１０４の陽極との間に直列接続され、第１の電流信号のノイズをフィルタリングし、第１の電流信号を安定的に出力して第１のＬＥＤ１０４を駆動し、第１のＬＥＤ１０４にちらつき現象が発生するのを防止する。
【００２３】
信号制御回路１０１は、第１の制御信号出力端および第２の制御信号出力端を有するので、第１の制御信号Ctrl１および第２の制御信号Ctrl２を同時に出力し、第１のＬＥＤ１０４および第２のＬＥＤ１０８をそれぞれ制御することができる。すでに如何にして信号制御回路１０１が第１のＬＥＤ１０４の光強度を制御するかを述べており、第２のＬＥＤ１０８の制御も同様の制御原理に基づくので更なる説明は行わず、各素子間の接続関係のみを以下に示す。
【００２４】
第２の隔離回路１０６は、その入力端が信号制御回路１０１の第２の制御信号出力端に電気的に接続され、第２の隔離回路１０６は、第２のＬＥＤＤ２および第６の抵抗Ｒ６を備えることができ、第２のＬＥＤＤ２の陽極は第２の制御信号出力端に電気的に接続され、第６の抵抗Ｒ６の一端は第２のＬＥＤＤ２の陰極に電気的に接続され、他端は第２の電流駆動回路１０７の入力端に電気的に接続される。
【００２５】
第２の電流駆動回路１０７は、その入力端が第２の隔離回路１０６の出力端に電気的に接続される。第２の電流駆動回路１０７は第２の制御信号Ctrl２および第２の保護制御回路１０９が生成する負のフィードバック信号を受信し、第２の制御信号Ctrl２の制御に基づいて第２の電流信号を生成する。第２の電流信号が生成する電流の大きさは０．３５アンペアから０．７アンペアの間とすることができる。
【００２６】
第２のＬＥＤ１０８は、その陽極が第２の電流駆動回路１０７の出力端に電気的に接続され、第２の電流信号を受信して駆動される。第２のＬＥＤ１０８は第２の電流信号に基づいて様々な光強度を生成することができる。例えば、第２の制御信号Ctrl２を設定して第２の電流駆動回路１０７に特定の第２の電流信号を出力させ、第２のＬＥＤ１０８が放出する光強度を調整することができる。
【００２７】
第２の保護制御回路１０９は、第２のＬＥＤ１０８の陰極とアースとの間に直列接続され、第２の電流駆動回路１０７の入力端に電気信号をフィードバックする。第２の保護制御回路１０９は、第７の抵抗Ｒ７および第８の抵抗Ｒ８を備え、第７の抵抗Ｒ７の一端は第２の電流駆動回路１０７の入力端に電気的に接続され、他端は第２のＬＥＤ１０８の陰極に電気的に接続される。第８の抵抗Ｒ８の一端も第２のＬＥＤ１０８の陰極と接続され、他端はアースに電気的に接続され、必要に応じて第７の抵抗Ｒ７および第８の抵抗Ｒ８の抵抗値を調整することができる。
【００２８】
また、同様に、第２の電流駆動回路１０７もポジティブエッジトリガ駆動およびネガティブエッジトリガ駆動の二種に分けることができ、信号制御回路１０１が出力する第２の制御信号Ctrl２を適当な電位の制御信号に変換するために、本実施例では更に第２のパルス信号制御回路１１２を備えることができる。図２に示すように、第２のパルス信号制御回路１１２の入力端は第２の制御信号出力端に電気的に接続され、その出力端は第２の隔離回路１０６の入力端に電気的に接続され、本来低電位の第２の制御信号Ctrl２を高電位の第２の制御信号Ctrl２に変換することができる。
【００２９】
第２のパルス信号制御回路１１２は、第９の抵抗Ｒ９、第２のトランジスタＴ２および第１０の抵抗Ｒ１０を備えることができる。第９の抵抗Ｒ９の一端は第２の制御信号出力端に電気的に接続され、他端は第２のトランジスタＴ２のベース端子に電気的に接続される。第２のトランジスタＴ２はＮＰＮトランジスタであり、そのエミッタ端子はアースに電気的に接続され、そのコレクタ端子は第２の隔離回路１０６の入力端に電気的に接続される。第１０の抵抗Ｒ１０の一端は第２のトランジスタＴ２のコレクタ端子に電気的に接続され、他端は第２の制御信号出力端に電気的に接続される。
【００３０】
第２の電流駆動回路１０７が出力する電流信号がノイズを帯びて第２のＬＥＤ１０８の発光がちらつくのを防止するために、本実施例では第２のノイズフィルタ回路１１３を備えることができる。第２のノイズフィルタ回路１１３は第２のインダクタンスＬ２とすることができ、第２の電流駆動回路１０７の出力端と第２のＬＥＤ１０８の陽極との間に直列接続され、第２の電流信号のノイズをフィルタリングし、第２の電流信号を安定的に出力して第２のＬＥＤ１０８を駆動し、第２のＬＥＤ１０８にちらつき現象が発生するのを防止する。
【００３１】
本実施例は信号制御回路１０１によって第１の電流駆動回路１０３および第２の電流駆動回路１０７を正確に制御し、第１のＬＥＤ１０４および第２のＬＥＤ１０８の光強度をそれぞれ正確に制御して混光された後の色温度を調整することができる。本実施例の第１のＬＥＤ１０４および第２のＬＥＤ１０８は、緑色ＬＥＤに赤色ＬＥＤを組合せるか、黄色ＬＥＤに青色ＬＥＤを組合せるか、または白色ＬＥＤに有色ＬＥＤを組合せる構造にすることができる。各種の異なるＬＥＤの組合わせを利用して様々な色温度の光線を生成することができ、本実施例が調整可能な色温度の範囲は１５００Ｋから２００００Ｋの間であり、使用者の必要に応じて各種の様々な状況に応用することができる。
【００３２】
例を挙げると、第１のＬＥＤ１０４が緑色ＬＥＤで、第２のＬＥＤ１０８が赤色ＬＥＤの場合、数値が８０％の第１の制御信号Ctrl１および数値が２９％の第２の制御信号Ctrl２によって第１の電流駆動回路１０３および第２の電流駆動回路１０７が出力する第１の電流信号および第２の電流信号が生成する電流出力値をどちらも０．３７アンペアにすることができ、第１のＬＥＤ１０４および第２のＬＥＤ１０８の光は混光されて１５００Ｋの色温度を生成することができる。
【００３３】
[第２の実施例]
図３は、本考案の色温度を調整できる発光装置２００の第２の実施例を示す。図４は本考案の色温度を調整できる発光装置２００’の実施例を示す。
【００３４】
図３に示すように、第１の実施例の応用範囲をさらに広げるために、本実施例では色温度を調整できる発光装置２００が提供され、信号制御回路１０１、第１の隔離回路１０２、第１の電流駆動回路１０３、少なくとも一つの第１のＬＥＤ１０４、第１の保護制御回路１０５、第２の隔離回路１０６、第２の電流駆動回路１０７、少なくとも一つの第２のＬＥＤ１０８、第２の保護制御回路１０９、第３の隔離回路１１４、第３の電流駆動回路１１５、少なくとも一つの第３のＬＥＤ１１６および第３の保護制御回路１１７を備える。
【００３５】
本実施例と第１の実施例との差異は信号制御回路１０１が更に第３の制御信号Ctrl３の出力に使用される第３の制御信号出力端を備える点にある。従って、本実施例では第１のＬＥＤ１０４、第２のＬＥＤ１０８および第３のＬＥＤ１１６を同時に制御できる。第１のＬＥＤ１０４および第２のＬＥＤ１０８の制御原理は第１の実施例の部分で説明しており、第３のＬＥＤ１１６の制御原理は第１のＬＥＤ１０４および第２のＬＥＤ１０８の制御原理と同一であるので、本実施例の説明では第３のＬＥＤ１１６の発光を制御する各素子間の関係のみを説明し、素子の制御原理などの重複する説明は行わない。
【００３６】
信号制御回路１０１は、第１の制御信号Ctrl１の出力に使用される第１の制御信号出力端、第２の制御信号Ctrl２の出力に使用される第２の制御信号出力端および第３の制御信号Ctrl３の出力に使用される第３の制御信号出力端を有する。信号制御回路１０１は、ＰＷＭ（Pulse Width Modulation）回路とすることができる。
【００３７】
第３の隔離回路(isolation circuit)１１４は、その入力端が信号制御回路１０１の第３の制御信号出力端に電気的に接続される。第３の隔離回路１１４は、第３のＬＥＤＤ３および第１１の抵抗Ｒ１１を備えることができ、第３のＬＥＤＤ３の陽極は第３の制御信号出力端に電気的に接続され、第１１の抵抗Ｒ１１の一端は第３のＬＥＤＤ３の陰極と接続され、他端は第３の電流駆動回路１１５の入力端に電気的に接続される。
【００３８】
第３の電流駆動回路１１５は、その入力端が第３の隔離回路１１４の出力端に電気的に接続される。第３の電流駆動回路１１５は第３の制御信号Ctrl３および第３の保護制御回路１１７が生成する負のフィードバック信号を受信し、第３の制御信号Ctrl３の制御に基づいて第３の電流信号を生成する。第３の電流信号が生成する電流の大きさは０．３５アンペアから０．７アンペアの間とすることができる。
【００３９】
第３のＬＥＤ１１６は、その陽極が第３の電流駆動回路１１５の出力端に電気的に接続され、第３の電流信号を受信して駆動される。第３のＬＥＤ１１６は第３の電流信号に基づいて様々な光強度を生成することができる。例えば、第３の制御信号Ctrl３を設定して第３の電流駆動回路１１５に特定の第３の電流信号を出力させ、第３のＬＥＤ１１６が放出する光強度を調整することができる。
【００４０】
第３の保護制御回路１１７は、第３のＬＥＤ１１６の陰極とアースとの間に直列接続され、第３の電流駆動回路１１５の入力端に電気信号をフィードバックする。第３の保護制御回路１１７は、第１２の抵抗Ｒ１２および第１３の抵抗Ｒ１３を備えることができる。第１２の抵抗Ｒ１２の一端は第３の電流駆動回路１１５の入力端に電気的に接続され、他端は第３のＬＥＤ１１６の陰極に電気的に接続される。第１３の抵抗Ｒ１３の一端も第３のＬＥＤ１１６の陰極と接続され、他端はアースに電気的に接続され、必要に応じて第１２の抵抗Ｒ１２および第１３の抵抗Ｒ１３の抵抗値を調整することができる。
【００４１】
また、第３の電流駆動回路１１５は、ポジティブエッジトリガ駆動およびネガティブエッジトリガ駆動の二種に分けることができ、信号制御回路１０１が出力する第３の制御信号Ctrl３を適当な電位の制御信号に変換するために本実施例では更に第３のパルス信号制御回路１１８を備えることができる。図４に示すように、第３のパルス信号制御回路１１８の入力端は第３の制御信号出力端に電気的に接続され、その出力端は第３の隔離回路１１４の入力端に電気的に接続され、本来低電位の第３の制御信号Ctrl３を高電位の第３の制御信号Ctrl３に変換することができる。
【００４２】
第３のパルス信号制御回路１１８は、第１４の抵抗Ｒ１４、第３のトランジスタＴ３および第１５の抵抗Ｒ１５を備えることができる。第１４の抵抗Ｒ１４の一端は第３の制御信号出力端に電気的に接続され、他端は第３のトランジスタＴ３のベース端子に電気的に接続される。第３のトランジスタＴ３はＮＰＮトランジスタであり、そのエミッタ端子はアースに電気的に接続され、そのコレクタ端子は第３の隔離回路１１４の入力端に電気的に接続される。第１５の抵抗Ｒ１５の一端は第３のトランジスタＴ３のコレクタ端子に電気的に接続され、他端は第３の制御信号出力端に電気的に接続される。
【００４３】
第３の電流駆動回路１１５が出力する電流信号がノイズを帯びて第３のＬＥＤ１１６の発光がちらつくのを防止するために、本実施例では第３のノイズフィルタ回路１１９を備えることができる。第３のノイズフィルタ回路１１９は第３のインダクタンスＬ３とすることができ、第３の電流駆動回路１１５の出力端と第３のＬＥＤ１１６の陽極との間に直列接続され、第３の電流信号のノイズをフィルタリングし、第３の電流信号を安定的に出力して第３のＬＥＤ１１６を駆動し、第３のＬＥＤ１１６にちらつき現象が発生するのを防止する。
【００４４】
本実施例の第１のＬＥＤ１０４、第２のＬＥＤ１０８および第３のＬＥＤ１１６は、緑色ＬＥＤ，赤色ＬＥＤおよび青色ＬＥＤを組合せるか、黄色ＬＥＤ、青色ＬＥＤおよびその他の有色ＬＥＤを組合せるか、或いは白色ＬＥＤにその他の有色ＬＥＤを組合せる構造にすることができ、ＬＥＤは使用者の必要に応じて任意に選択して組合せることができる。
【００４５】
例を挙げると、第１のＬＥＤ１０４が緑色ＬＥＤで、第２のＬＥＤ１０８が赤色ＬＥＤで、第３のＬＥＤ１１６が青色ＬＥＤの場合、数値が６３％の第１の制御信号Ctrl１、数値が４１％の第２の制御信号Ctrl２および数値が３７％の第３の制御信号Ctrl３によって各電流駆動回路が出力する電流信号が生成する電流出力値を何れもも０．４８アンペアにすることができ、第１のＬＥＤ１０４、第２のＬＥＤ１０８および第３のＬＥＤ１１６の光は混光されて２００００Ｋの色温度を生成することができる。
【００４６】
第１の実施例および第２の実施例から分かるように、信号制御回路１０１は二つまたは三つの制御信号出力端を有するだけでなく、多くの制御信号出力端を有することができ、同時に多くのＬＥＤを制御することができ、ＬＥＤは異なる制御信号に基づいて異なる光強度をそれぞれ放出し、混光されて各種の色温度を生成させることができ、１５００Ｋから２００００Ｋという非常に広い範囲の色温度を達成することができる。
【００４７】
上述の実施例は本考案の特徴を説明するためのものであり、本考案の範囲を限定するものではない。本考案の主旨を逸脱しない範囲における修飾または変更は全ての本考案の実用新案登録請求の範囲に含まれる。
【図面の簡単な説明】
【００４８】
【図１】本考案の色温度を調整できる発光装置の第１の実施例を示す回路図である。
【図２】本考案の色温度を調整できる発光装置の第１の実施例を示す回路図である。
【図３】本考案の色温度を調整できる発光装置の第２の実施例を示す回路図である。
【図４】本考案の色温度を調整できる発光装置の第２の実施例を示す回路図である。
【符号の説明】
【００４９】
１００、１００’、２００、２００’  色温度を調整できる発光装置
１０１  信号制御回路
１０２  第１の隔離回路(isolation circuit)
１０３  第１の電流駆動回路
１０４  第１のＬＥＤ
１０５  第１の保護制御回路
１０６  第２の隔離回路(isolation circuit)
１０７  第２の電流駆動回路
１０８  第２のＬＥＤ
１０９  第２の保護制御回路
１１０  第１のパルス信号制御回路
１１１  第１のノイズフィルタ回路
１１２  第２のパルス信号制御回路
１１３  第２のノイズフィルタ回路
１１４  第３の隔離回路(isolation circuit)
１１５  第３の電流駆動回路
１１６  第３のＬＥＤ
１１７  第３の保護制御回路
１１８  第３のパルス信号制御回路
１１９  第３のノイズフィルタ回路
Ctrl１  第１の制御信号
Ctrl２  第２の制御信号
Ctrl３  第３の制御信号
Ｄ１  第１のＬＥＤ
Ｄ２  第２のＬＥＤ
Ｄ３  第３のＬＥＤ
Ｒ１  第１の抵抗
Ｒ２  第２の抵抗
Ｒ３  第３の抵抗
Ｒ４  第４の抵抗
Ｒ５  第５の抵抗
Ｒ６  第６の抵抗
Ｒ７  第７の抵抗
Ｒ８  第８の抵抗
Ｒ９  第９の抵抗
Ｒ１０  第１０の抵抗
Ｒ１１  第１１の抵抗
Ｒ１２  第１２の抵抗
Ｒ１３  第１３の抵抗
Ｒ１４  第１４の抵抗
Ｒ１５  第１５の抵抗
Ｔ１  第１のトランジスタ
Ｔ２  第２のトランジスタ
Ｔ３  第３のトランジスタ
Ｌ１  第１のインダクタンス
Ｌ２  第２のインダクタンス
Ｌ３  第３のインダクタンス
【図１】
0003139518.tif 000003
【図２】
0003139518.tif 000004
【図３】
0003139518.tif 000005
【図４】
0003139518.tif 000006